(57)【特許請求の範囲】
【請求項１】
リーダーとバッテリーレスにて無線通信を行うことにより情報伝送を行うＲＦＩＤタグと、無線基地局と自ら電波を発信して無線通信を行うことにより情報伝送を行うＲＦ通信モジュールと、前記ＲＦＩＤタグを構成するＲＦＩＤチップ内にインターフェース回路を内蔵して接点信号入力及び／又はセンサ信号入力が行える手段と、前記ＲＦ通信モジュールに発光素子及び／又は発音素子を内蔵して警報出力が行える手段にて構成した遠隔通信機能付きＲＦＩＤタグを患者に所持させ及び薬剤トレーを載せたワゴンに装着し、
病棟内外において前記遠隔通信機能付きＲＦＩＤタグ内のＲＦＩＤタグと無線通信を行うリーダーを通路及びリハビリコース等において通信範囲が連続してカバーできるよう複数箇所に配置し、前記遠隔通信機能付きＲＦＩＤタグ内のＲＦ通信モジュールと無線通信を行う無線基地局を前記リーダーの通信範囲を超えて広範囲にカバーできるよう１箇所以上に配置し、前記複数のリーダーと１個以上の無線基地局をＬＡＮ又は電力線搬送通信を中継してナースステーション又は管理センター内のサーバーに接続して構成することを特徴とした、病院における移動体監視システム。
【請求項２】
患者に異変等が生じた場合又はワゴンの転倒等の事故が起きた場合に、緊急事態を通報するためのスイッチや転倒を検出するためのセンサにより当該位置が検出できることを特徴とした、請求項１に記載の病院における移動体監視システム。
【請求項３】
患者が通路やリハビリコースを外れた場合又は薬剤を運ぶ看護師がルートミスを起こした場合に、ＲＦ通信モジュールを起動して無線通信により患者や看護師に前記事態を警報にて知らせることができることを特徴とした、請求項１に記載の病院における移動体監視システム。
【発明の詳細な説明】
【技術分野】
【０００１】
本発明は、病院における患者や薬剤トレーを載せたワゴン等の移動体の移動軌跡を常時監視することにより、患者に異変等が生じたことの検出と薬剤を運ぶ看護師に配送ミス等が起きたことの検出を行ない、迅速且つ確実な対応を図ることができる、病院における移動体監視システムに関するものである。
【背景技術】
【０００２】
従来、病院（老人ホーム等の介護，養護施設を含む）の施設内において、多くの患者が所用やリハビリのため当該病院内の通路やリハビリコースを歩いている。該患者には症状の程度や内容により様々な患者がおり、更には認知症患者もいる。該状況下において患者に異変等が生じて倒れたり、徘徊により行方不明になることがある。日中は病院職員や見舞客も多いため、迅速な救助や発見がなされることが可能であるが、夜間等においては前記救助や発見が遅れて大事に至ることが懸念される。
【０００３】
上記課題を解決すべく、例えば特開２００３−３２３４９０号公報の『被管理者の居場所管理システム』においては、非接触型のＩＣタグを被管理者（患者・入居者）に所持させ、管理区域内に複数のリーダーを設置し、前記ＩＣタグをどのリーダーで検出したかの情報をサーバーで管理することにより、被管理者の居場所を管理するシステムが提案されている。
【０００４】
また、上記病院内において、患者に投与するための薬剤は、患者名等が記載された薬剤トレー内に入れられ、看護師が該当患者の病室までワゴンに載せて運んでいる。該状況下において看護師が確認を誤り異なった薬剤を患者に運ぶ配送ミスを起こしたり、病棟や配送階のルートミスやワゴンの転倒等の事故を起こすことがある。該配送ミスを起こすと、本来投与されるべき薬剤とは異なる薬剤が投与され、症状の改善に悪影響を及ぼすことになる。また、ルートミスやワゴンの転倒等の事故が起きると、患者への薬剤投入時間が遅れてしまい、前記と同様の問題が懸念される。
【０００５】
上記課題のうち配送ミスの課題を解決すべく、例えば特開２００２−２６９２３４号公報の『薬剤の取扱管理方法及びその取扱管理システム』においては、ワゴンに載せた薬剤トレーにＩＣタグを内蔵したオーダーカードを入れ、各病室やベッドに設置したチェックユニット（リーダー）で前記オーダーカードの内容を確認及び管理することにより、薬剤の配送ミスを防止するシステムが提案されている。
【０００６】
【特許文献１】特開２００３−３２３４９０
【特許文献２】特開２００２−２６９２３４
【発明の開示】
【発明が解決しようとする課題】
【０００７】
しかしながら、上記特開２００３−３２３４９０号公報においては、被管理者に所持させるＩＣタグは、近年普及が著しいＲＦＩＤ（Radio Frequency Identification）タグとは異なり、バッテリーを内蔵することにより自ら微弱電波を発信して１５〜２０ｍ程度の無線通信を行うことができる無線通信ユニットである。このため、前記ＩＣタグを連続使用するとバッテリーの消耗が激しくなり、長時間使用することができないという欠点があった。また、長時間使用するためにはバッテリーを大きくする必要があり、ＩＣタグの形状が大きくなってしまうという欠点があった。
【０００８】
また、上記特開２００２−２６９２３４号公報においては、ＩＣタグを内蔵したオーダーカードを入れた薬剤トレーをワゴンに載せて運ぶため、各病室やベッドに設置したチェックユニット（リーダー）で前記オーダーカードの内容を確認及び管理することにより、薬剤の配送ミスを防止することができるが、病棟や配送階のルートミスを起こした場合には、該ルートミスをナースステーションや管理センターより看護師に知らせることができないという欠点があった。また、ワゴンの転倒等の事故が起きた場合には、該状態を迅速にナースステーションや管理センターに連絡することができないという欠点があった。
【０００９】
本発明は、以上述べたような問題点を解決するために成されたものであり、バッテリーレス型のＲＦＩＤタグを用いて病院における患者や薬剤トレーを載せたワゴン等の移動体の移動軌跡を常時監視することにより、患者に異変等が生じたことの検出と薬剤を運ぶ看護師に配送ミス等が起きたことの検出を行ない、迅速且つ確実な対応を図ることができる、病院における移動体監視システムを提供することを目的とする。
【課題を解決するための手段】
【００１０】
上記課題を解決するため、本発明の病院における移動体監視システムにおいては、リーダーとバッテリーレスにて無線通信を行うことにより情報伝送を行うＲＦＩＤタグと、無線基地局と自ら電波を発信して無線通信を行うことにより情報伝送を行うＲＦ通信モジュールと、前記ＲＦＩＤタグを構成するＲＦＩＤチップ内にインターフェース回路を内蔵して接点信号入力及び／又はセンサ信号入力が行える手段と、前記ＲＦ通信モジュールに発光素子及び／又は発音素子を内蔵して警報出力が行える手段にて構成した遠隔通信機能付きＲＦＩＤタグを患者に所持させ及び薬剤トレーを載せたワゴンに装着し、
病棟内外において前記遠隔通信機能付きＲＦＩＤタグ内のＲＦＩＤタグと無線通信を行うリーダーを通路及びリハビリコース等において通信範囲が連続してカバーできるよう複数箇所に配置し、前記遠隔通信機能付きＲＦＩＤタグ内のＲＦ通信モジュールと無線通信を行う無線基地局を前記リーダーの通信範囲を超えて広範囲にカバーできるよう１箇所以上に配置し、前記複数のリーダーと１個以上の無線基地局をＬＡＮ又は電力線搬送通信を中継してナースステーション又は管理センター内のサーバーに接続して構成する。
【発明の効果】
【００１１】
本発明の病院における移動体監視システムによれば、遠隔通信機能付きＲＦＩＤタグを患者に所持させ及び薬剤トレーを載せたワゴンに装着することにより、移動軌跡をリーダー及びバッテリーレス型のＲＦＩＤタグにて常時監視してナースステーション又は管理センター内のサーバーにて管理することができる。そのため、患者に異変等が生じた場合又はワゴンの転倒等の事故が起きた場合に、緊急事態を通報するためのスイッチや転倒を検出するためのセンサにより当該位置が検出でき、迅速且つ確実な対応を図ることができるという効果を奏する。また、患者が通路やリハビリコースを外れた場合又は薬剤を運ぶ看護師がルートミスを起こした場合に、ＲＦ通信モジュールを起動して無線通信により患者や看護師に前記事態を警報にて知らせることができ、事故を防止できるという効果を奏する。該ＲＦ通信モジュールは、前記緊急事態の通報送信時や警報送信時のみ作動するため、ＲＦ通信モジュールを駆動するためのバッテリーは小型化できるという効果も奏する。
【発明を実施するための最良の形態】
【００１２】
本発明を実施するための最良の形態を図を用いて説明する。
【００１３】
図３は本発明の病院における移動体監視システムで用いる遠隔通信機能付きＲＦＩＤタグの通信形態を示す模式図である。該図に示すように、遠隔通信機能付きＲＦＩＤタグ２６は、リーダー２４とバッテリーレスにて無線通信を行うことにより情報伝送を行うＲＦＩＤタグ１と、無線基地局２７と自ら電波を発信して無線通信を行うことにより情報伝送を行うＲＦ通信モジュール１５と、前記ＲＦＩＤタグ１を構成するＲＦＩＤチップ２内にインターフェース回路を内蔵して接点信号及び／又はセンサ信号３５の入力が行える手段と、前記ＲＦ通信モジュール１５に発光素子及び／又は発音素子３６を内蔵して警報出力が行える手段にて構成する。
【００１４】
なお、上記ＲＦＩＤタグ１はＲＦＩＤチップ２及びアンテナ３にて構成し、アンテナ２５を接続したリーダー２４と無線通信を行う。また、アンテナ１６を接続したＲＦ通信モジュール１５に当該ＲＦ通信モジュール１５を駆動するためのバッテリー１７を接続し、前記ＲＦＩＤチップ２内のインターフェース回路に接点信号及び／又はセンサ信号を入力して感応した場合又はリーダー２４とＲＦＩＤタグ１との通信範囲が外れた場合に前記ＲＦ通信モジュール１５を起動して自ら電波を発信してアンテナ２８を接続した無線基地局２７と無線通信を行う。該ＲＦ通信モジュール１５の送信出力は、微弱無線や特定小電力無線など用途に応じて任意に選択して構わない。
【００１５】
上記インターフェース回路に入力する接点信号源としては緊急信号発生用の押しボタンスイッチが好適であり、センサ信号源としては傾斜センサや転倒センサ又は加速度センサ等が好適であるが、何れも特に限定するものではない。
【００１６】
また、図４は本発明の病院における移動体監視システムの一実施例におけるシステム系統図である。該図に示すように、病棟内外において上記遠隔通信機能付きＲＦＩＤタグ２６内のＲＦＩＤタグ１と無線通信を行うリーダー２４を通路２９及びリハビリコース等において通信範囲が連続してカバーできるよう複数箇所に配置し、前記遠隔通信機能付きＲＦＩＤタグ２６内のＲＦ通信モジュール１５と無線通信を行う無線基地局２７を前記リーダー２４の通信範囲を超えて広範囲にカバーできるよう１箇所以上に配置し、前記複数のリーダー２４と１個以上の無線基地局２７をＬＡＮ３２又は電力線搬送通信を中継してナースステーション３３又は管理センター内のサーバー３４に接続して構成する。また、前記遠隔通信機能付きＲＦＩＤタグ２６を患者３０に所持させ及び薬剤トレーを載せたワゴン３１に装着する。
【００１７】
なお、上記電力線搬送通信を行う場合には、リーダー２４や無線基地局２７及びサーバー３４の各通信ポートと電力線間に、図示しないＰＬＣ（Power Line Communication）モデムを接続する必要がある。該電力線搬送通信を使用すれば、リハビリコースが病棟外の公園等であっても街路灯の電力線を利用できるため、ケーブルの敷設が不要となる。
【実施例】
【００１８】
本発明の実施例を図を用いて説明する。
【００１９】
図１は本発明の病院における移動体監視システムで用いる遠隔通信機能付きＲＦＩＤタグの構成要素であるＲＦＩＤタグのブロック図である。該図において、アンテナ３はリーダー２４と電磁波による無線通信を行うため、ＲＦＩＤチップ２内又は一部ＲＦＩＤチップ２外の同調キャパシタ（図示せず）から成る同調回路４に接続し、本発明の病院における移動体監視システムで使用するキャリア周波数、例えば１３．５６ＭＨｚや９５０ＭＨｚ帯又は２．４５ＧＨｚ等に同調させて共振回路を構成する。
【００２０】
上記同調回路４の後段には、リーダー２４のアンテナ２５から送信された電磁波が当該ＲＦＩＤタグ１のアンテナ３を通過した時に発生する誘導起電力の電圧波形を検波したり、該誘導起電力を半波又は全波整流して直流電圧を取り出すための整流回路５を接続する。
【００２１】
次に、上記整流回路５の後段には、検波したキャリアを分周してシステム用のクロックを生成するためのクロック生成回路６と、信号受信時においてキャリアから信号を取り出す復調動作を行ったり信号送信時においてスイッチング素子（図示せず）により変調動作を行うための変復調回路７と、上記直流電圧を安定化して回路電源を供給したり、充電用コンデンサ９に充電電圧を供給するための電源回路８を接続する。該充電用コンデンサ９は一般的にはセラミックコンデンサであり、電力を必要とする場合には大容量型の電気二重層コンデンサ等が好適であるが、特に限定するものではない。
【００２２】
次に、上記変復調回路７の後段には、該変復調回路７の制御や不揮発性メモリであるＦＲＡＭ（Ferroelectric RAM：米国Ramtron社の登録商標）１１に対する当該ＲＦＩＤチップ２の固有ＩＤ情報等のデータの書込み又は読出し制御を行うためのロジック回路１０を接続する。
【００２３】
次に、上記変復調回路７とロジック回路１０に接続されている通信信号線１３を端子１４に接続し、後述のＲＦ通信モジュール１５に接続する。また、緊急信号発生用の押しボタンスイッチや、傾斜センサや転倒センサ又は加速度センサ等から出力される信号状態に応じてＲＦ通信モジュール１５を起動して無線基地局２７との通信を行うためのインターフェース回路１２を前記のロジック回路２３とＦＲＡＭ２４に接続する。
【００２４】
図２は本発明の病院における移動体監視システムで用いる遠隔通信機能付きＲＦＩＤタグの構成要素であるＲＦ通信モジュールのブロック図である。該図において、ＲＦ通信モジュール１５は、無線基地局２７のアンテナ２８を介して無線通信を行うことにより情報伝送を行うＲＦ通信回路１８及びアンテナ１６と、ＲＦＩＤチップ２内の通信信号線１３を端子２３を介して接続することによりＲＦＩＤチップ２内の情報伝送を行うインターフェース回路２０と、発光素子及び／又は発音素子３６にて警報出力を行う警報回路２１と、前記ＲＦ通信回路１８とインターフェース回路２０及び警報回路２１の動作制御を行う制御回路１９と、バッテリー１７より回路駆動に必要な回路電源を生成する電源回路２２にて構成する。また、バッテリー１７と電源回路２２との間にはスイッチ素子３７を挿入し、制御信号としてインターフェース回路１２から出力される制御信号を接続する（図１中の符号ａと図２中の符号ｂを接続）ことにより電源のＯＮ／ＯＦＦを行う。なお、該スイッチ素子３３はボルテージディテクタが好適であるが、特に限定するものではない。また、前記発光素子としては発光ダイオードが好適であり、発音素子としては圧電ブザーが好適であるが、何れも特に限定するものではない。
【００２５】
また、上記ＦＲＡＭ１１は強誘電体型の不揮発性メモリであり、回路電源がＯＦＦになっても当該ＲＦＩＤチップ２の固有ＩＤ情報等のデータは消失することはない。また、データの書込み電圧は、ＥＥＰＲＯＭやフラッシュメモリのように高圧に昇圧する必要がないため、昇圧回路が簡略化される。また、書込み又は読出し速度はＤＲＡＭと同等であり、ＥＥＰＲＯＭやフラッシュメモリよりはるかに高速であるという特徴を持つものである。このように、不揮発性メモリとしてはＦＲＡＭ１１が好適であるが他のメモリを使用しても構わない。
【００２６】
次に、前述の図４のシステム系統図に基づいて動作説明を行う。該図においては、病院の通路２９を歩いている患者３０や薬剤を載せたワゴン３１の移動軌跡を監視する状態を示している。
【００２７】
上記状態において、病院の通路２９の上部や病室の入口付近には適度な間隔でリーダー１が複数設置され、更に無線基地局２７が設置されている。該複数のリーダー１及び無線基地局２７はＬＡＮ３２を中継してナースステーション３３内のサーバー３４に接続されている。また、患者３０には遠隔通信機能付きＲＦＩＤタグ２６をペンダント等に内蔵して所持させ、ワゴン３１には前記遠隔通信機能付きＲＦＩＤタグ２６を看護師の目に付く場所に装着しておく。
【００２８】
ここで、病院内の通路２９を患者３０が歩行する場合、該患者３０の位置情報は、病院の通路２９の各所に設置されたリーダー２４と患者３０が所持している遠隔通信機能付きＲＦＩＤタグ２６内のＲＦＩＤタグ１との無線通信により、当該リーダー２４にて読み出される。また、患者３０が別の場所に移動した場合、該患者３０の新たな位置情報も前記と同様に別の場所の通路２９の各所に設置されたリーダー２４との無線通信により、当該リーダー２４にて読み出される。該読み出された位置情報は、ＬＡＮを中継してナースステーション３３内のサーバー３４に伝送され、患者３０の位置を常時把握することができることになる。
【００２９】
ここで、患者３０に異変が生じて倒れた場合、遠隔通信機能付きＲＦＩＤタグ２６内のＲＦＩＤタグ１に接続された緊急信号発生用の押しボタンスイッチの接点信号及び／又は転倒センサ等のセンサ信号がインターフェース回路１２に入力されて緊急事態又は転倒状態を検出することになる。該状況において遠隔通信機能付きＲＦＩＤタグ２６内のインターフェース回路１２より制御信号が出力されてＲＦ通信モジュール１５のスイッチ素子３７をＯＮにすることで当該ＲＦ通信モジュール１５が起動し、通路２９に設置された無線基地局１５と無線通信を行うことにより、倒れた患者３０の位置情報が当該無線基地局１５にて読み出される。該読み出された位置情報も、上記と同様にＬＡＮを中継してナースステーション３３内のサーバー３４に伝送され、患者３０の緊急事態又は転倒状態を検出して救助を行うなど迅速且つ確実な対応を図ることが可能となる。なお、通路２９の代りにリハビリコースであっても同様である。
【００３０】
また、ワゴン３１の位置情報も上記と同様にして常時把握することができる。このため、薬剤を運ぶ看護師が配送ミスやルートミス等を起こした場合に、ナースステーション３３内のサーバー３４にて該状態を検出することができ、無線基地局２７と遠隔通信機能付きＲＦＩＤタグ２６内のＲＦ通信モジュール１５の無線通信により当該ＲＦ通信モジュール１５に接続された発光素子及び／又は発音素子により警報で知らせることができる。
【図面の簡単な説明】
【００３１】
【図１】本発明の病院における移動体監視システムで用いる遠隔通信機能付きＲＦＩＤタグの構成要素であるＲＦＩＤタグのブロック図である。
【図２】本発明の病院における移動体監視システムで用いる遠隔通信機能付きＲＦＩＤタグの構成要素であるＲＦ通信モジュールのブロック図である。
【図３】本発明の病院における移動体監視システムで用いる遠隔通信機能付きＲＦＩＤタグの通信形態を示す模式図である。
【図４】本発明の病院における移動体監視システムの一実施例におけるシステム系統図である。
【符号の説明】
【００３２】
１  ＲＦＩＤタグ
２  ＲＦＩＤチップ
３  アンテナ
４  同調回路
５  整流回路
６  クロック生成回路
７  変復調回路
８  電源回路
９  充電用コンデンサ
１０  ロジック回路
１１  ＦＲＡＭ
１２  インターフェース回路
１３  通信信号線
１４  端子
１５  ＲＦ通信モジュール
１６  アンテナ
１７  バッテリー
１８  ＲＦ通信回路
１９  制御回路
２０  インターフェース回路
２１  警報回路
２２  電源回路
２３  端子
２４  リーダー
２５  アンテナ
２６  遠隔通信機能付きＲＦＩＤタグ
２７  無線基地局
２８  アンテナ
２９  通路
３０  患者
３１  ワゴン
３２  ＬＡＮ
３３  ナースステーション
３４  サーバー
３５  接点信号及び／又はセンサ信号
３６  発光素子及び／又は発音素子
３７  スイッチ素子
【図１】
0004701333.tif 000002
【図２】
0004701333.tif 000003
【図３】
0004701333.tif 000004
【図４】
0004701333.tif 000005